(57)【要約】【課題】沸上運転を中断して除霜運転を行い、除霜運転の終了後に沸上運転を再開する場合であっても、タンクの上部の水を高温に維持することが可能な技術を提供する。【解決手段】本明細書が開示するヒートポンプ装置は、圧縮機と、凝縮器と、減圧機構と、蒸発器と、被加熱流体を貯めるタンクと、タンクと凝縮器の間で被加熱流体を循環させる循環手段を備えている。そのヒートポンプ装置は、タンクと凝縮器の間で被加熱流体を循環させるとともに、蒸発器で外気から冷媒へ吸熱し、凝縮器で冷媒から被加熱流体へ放熱して、被加熱流体を目標沸上温度まで加熱する沸上運転と、蒸発器に霜が付着した場合に、蒸発器で冷媒から霜に放熱して、蒸発器に付着した霜を融解させる除霜運転を実行可能である。そのヒートポンプ装置では、蒸発器に霜が付着するおそれがある場合に、通常の場合に比べて、沸上運転における目標沸上温度を高く設定する。【選択図】図２
2016053444.tif 000002
【特許請求の範囲】
【請求項１】
冷媒を加圧する圧縮機と、
冷媒と被加熱流体の熱交換によって冷媒を凝縮させる凝縮器と、
冷媒を減圧する減圧機構と、
冷媒と外気の熱交換によって冷媒を蒸発させる蒸発器と、
被加熱流体を貯めるタンクと、
タンクと凝縮器の間で被加熱流体を循環させる循環ポンプを備えており、
タンクと凝縮器の間で被加熱流体を循環させるとともに、蒸発器で外気から冷媒へ吸熱し、凝縮器で冷媒から被加熱流体へ放熱して、被加熱流体を目標沸上温度まで加熱する沸上運転と、
蒸発器に霜が付着した場合に、蒸発器で冷媒から霜に放熱して、蒸発器に付着した霜を融解させる除霜運転を実行可能であり、
蒸発器に霜が付着するおそれがある場合に、通常の場合に比べて、沸上運転における目標沸上温度を高く設定する、ヒートポンプ装置。
【請求項２】
外気温度を検出する外気温度センサをさらに備えており、
外気温度センサで検出される温度に基づいて、蒸発器に霜が付着するおそれがあるか否かを判断する、請求項１のヒートポンプ装置。
【請求項３】
蒸発器を流れる冷媒の温度を検出する冷媒温度センサをさらに備えており、
冷媒温度センサで検出される温度に基づいて、蒸発器に霜が付着するおそれがあるか否かを判断する、請求項１または２のヒートポンプ装置。
【発明の詳細な説明】
【技術分野】
【０００１】
本明細書で開示する技術は、ヒートポンプ装置に関する。
【背景技術】
【０００２】
特許文献１には、冷媒を加圧する圧縮機と、冷媒と被加熱流体の熱交換によって冷媒を凝縮させる凝縮器と、冷媒を減圧する減圧機構と、冷媒と外気の熱交換によって冷媒を蒸発させる蒸発器と、被加熱流体を貯めるタンクと、タンクと凝縮器の間で被加熱流体を循環させる循環ポンプを備えるヒートポンプ装置が開示されている。このヒートポンプ装置は、タンクと凝縮器の間で被加熱流体を循環させるとともに、蒸発器で外気から冷媒へ吸熱し、凝縮器で冷媒から被加熱流体へ放熱して、被加熱流体を目標沸上温度まで加熱する沸上運転と、蒸発器に霜が付着した場合に、蒸発器で冷媒から霜に放熱して、蒸発器に付着した霜を融解させる除霜運転を実行可能である。
【先行技術文献】
【特許文献】
【０００３】
【特許文献１】特開２０１３−１８５８０８号公報
【発明の概要】
【発明が解決しようとする課題】
【０００４】
特許文献１の技術では、沸上運転を行っている間に蒸発器に霜が付着すると、沸上運転を中断して除霜運転を行う。この場合、除霜運転を行っている間は、循環ポンプを停止させているので、タンクと凝縮器の間で被加熱流体が循環する循環経路内に被加熱流体が滞留する。この滞留している被加熱流体は、除霜運転を行っている間に、自然放熱によって温度が低下する。そして、除霜運転を終了して沸上運転を再開すると、循環経路内に滞留していた低温の被加熱流体がタンクに流入して、除霜運転を行う前の沸上運転によってタンクに貯められていた高温の被加熱流体の温度が低下してしまう。沸上運転を中断して除霜運転を行い、除霜運転の終了後に沸上運転を再開する場合であっても、タンクに貯められた被加熱流体を高温に維持することが可能な技術が期待されている。
【０００５】
本明細書では、上記の課題を解決する技術を提供する。本明細書では、沸上運転を中断して除霜運転を行い、除霜運転の終了後に沸上運転を再開する場合であっても、タンクに貯められた被加熱流体を高温に維持することが可能な技術を提供する。
【課題を解決するための手段】
【０００６】
本明細書が開示するヒートポンプ装置は、冷媒を加圧する圧縮機と、冷媒と被加熱流体の熱交換によって冷媒を凝縮させる凝縮器と、冷媒を減圧する減圧機構と、冷媒と外気の熱交換によって冷媒を蒸発させる蒸発器と、被加熱流体を貯めるタンクと、タンクと凝縮器の間で被加熱流体を循環させる循環手段を備えている。そのヒートポンプ装置は、タンクと凝縮器の間で被加熱流体を循環させるとともに、蒸発器で外気から冷媒へ吸熱し、凝縮器で冷媒から被加熱流体へ放熱して、被加熱流体を目標沸上温度まで加熱する沸上運転と、蒸発器に霜が付着した場合に、蒸発器で冷媒から霜に放熱して、蒸発器に付着した霜を融解させる除霜運転を実行可能である。そのヒートポンプ装置では、蒸発器に霜が付着するおそれがある場合に、通常の場合に比べて、沸上運転における目標沸上温度を高く設定する。
【０００７】
上記のヒートポンプ装置では、蒸発器に霜が付着するおそれがある場合に、沸上運転における目標沸上温度を通常よりも高く設定する。このため、除霜運転を行う前の沸上運転において、通常よりも高い温度まで加熱された被加熱流体をタンクに貯めることができる。このため、その後に蒸発器に霜が付着して除霜運転を行い、除霜運転の終了後に沸上運転を再開する際に、低温の被加熱流体がタンクに流入しても、タンクに貯められた被加熱流体を高温に維持することができる。
【０００８】
上記のヒートポンプ装置は、外気温度を検出する外気温度センサをさらに備えており、外気温度センサで検出される温度に基づいて、蒸発器に霜が付着するおそれがあるか否かを判断するように構成することができる。
【０００９】
通常は、外気温度が低くなると、それだけ蒸発器に霜が付着しやすくなる。そこで、上記のヒートポンプ装置では、外気温度センサで検出される外気温度に基づいて、蒸発器に霜が付着するおそれがあるか否かを判断する。上記のヒートポンプ装置によれば、簡素な構成によって、蒸発器に霜が付着するおそれがあるか否かを正確に判断することができる。
【００１０】
上記のヒートポンプ装置は、蒸発器を流れる冷媒の温度を検出する冷媒温度センサをさらに備えており、冷媒温度センサで検出される温度に基づいて、蒸発器に霜が付着するおそれがあるか否かを判断するように構成することができる。
【００１１】
通常は、蒸発器を流れる冷媒の温度が低くなると、それだけ蒸発器に霜が付着しやすくなる。そこで、上記のヒートポンプ装置では、冷媒温度センサで検出される冷媒温度に基づいて、蒸発器に霜が付着するおそれがあるか否かを判断する。上記のヒートポンプ装置によれば、簡素な構成によって、蒸発器に霜が付着するおそれがあるか否かを正確に判断することができる。
【図面の簡単な説明】
【００１２】
【図１】実施例の給湯装置１０の構成を模式的に示す図。
【図２】実施例の給湯装置１０においてコントローラ７０が実行する処理を示すフローチャート。
【発明を実施するための形態】
【００１３】
（実施例）
図１に示す本実施例の給湯装置１０は、カラン（図示せず）や浴槽といった給湯箇所へ温水を供給する装置である。図１に示すように、給湯装置１０は、温水を貯める貯湯タンク１８と、貯湯タンク１８の温水を循環加熱するヒートポンプ３０と、補助熱源であるガス熱源機１２を備えている。なお、給湯装置１０は、貯湯タンク１８に貯めた温水の熱を暖房にも利用する給湯暖房装置であってもよい。
【００１４】
貯湯タンク１８には、給水管１６と出湯管１４が接続されている。図示省略するが、貯湯タンク１８には、複数の温度センサが高さ方向に沿って配置されているとともに、別の温度センサが貯湯タンク１８の頂部から垂直に挿入されている。貯湯タンク１８に配置されている各温度センサは、後述のヒートポンプ３０のコントローラ７０に接続されている。コントローラ７０は、各温度センサの検出結果に基づいて、貯湯タンク１８内の温水温度及び温水量（即ち熱量）を把握することができる。給水管１６は、貯湯タンク１８へ上水を供給する管路である。給水管１６は、貯湯タンク１８の底部に接続されている。図示省略するが、給水管１６には、各種のセンサや弁などが設けられている。出湯管１４は、貯湯タンク１８から給湯箇所へ温水を送る管路である。出湯管１４は、貯湯タンク１８の上部に接続されている。図示省略するが、出湯管１４にも、各種のセンサや弁などが設けられている。
【００１５】
ガス熱源機１２は、出湯管１４の経路上に設けられている。ガス熱源機１２は、貯湯タンク１８からの温水の温度が、必要とされる温度を下回るときに、燃料ガスを燃焼することによって当該温水を加熱することができる。それにより、給湯装置１０は、大量又は高温の給湯要求があり、貯湯タンク１８の温水量及び温水温度では不十分である場合に、ガス熱源機１２を稼働させることによって、不足する熱量を補うことができる。あるいは、外気温度が極めて低いときなど、ヒートポンプ３０の能力が著しく低下する場合でも、ガス熱源機１２を稼働させることによって、必要とされる給湯を行うことができる。
【００１６】
ヒートポンプ３０は、大気から吸熱して水を加熱するヒートポンプである。ヒートポンプ３０は、加熱往路２２と加熱復路２０を通じて、貯湯タンク１８に接続されている。加熱往路２２は、貯湯タンク１８内の水を、ヒートポンプ３０に送る管路である。加熱復路２０は、ヒートポンプ３０で加熱された水を、貯湯タンク１８へ戻す管路である。加熱往路２２と加熱復路２０は一連に接続されており、貯湯タンク１８とヒートポンプ３０との間で水を循環させる循環経路を構成している。加熱往路２２には、循環ポンプ６０が設けられている。循環ポンプ６０は、後述するヒートポンプ３０のコントローラ７０によって制御される。図示省略するが、加熱往路２２及び加熱復路２０には、各種のセンサや弁などが設けられている。
【００１７】
ヒートポンプ３０は、蒸発器３２と、圧縮機３４と、凝縮器３６と、膨張弁３８とを備えている。蒸発器３２と圧縮機３４と凝縮器３６と膨張弁３８の間は、冷媒経路４２、４４、４６、４８によって順に接続されており、冷媒を循環させる循環経路が構成されている。また、ヒートポンプ３０は、各部の動作を制御するコントローラ７０を備えている。
【００１８】
蒸発器３２は、外気から冷媒へ吸熱する熱交換器である。蒸発器３２には、室外ファン５４によって送風が行われる。室外ファン５４は、ファンモータ５６によって駆動される。蒸発器３２では、膨張弁３８を通過したミスト状の冷媒が、外気から熱を吸収して蒸発する。一例ではあるが、本実施例では、冷媒として二酸化炭素を採用している。ただし、冷媒の種類については特に限定されない。ファンモータ５６は、コントローラ７０へ電気的に接続されており、その動作、即ち、室外ファン５４の動作が、コントローラ７０によって制御される。また、蒸発器３２には、蒸発器３２を流れる冷媒の温度を測定する冷媒温度センサ５７が備えられている。さらに、蒸発器３２の近傍には、外気温度を測定する外気温度センサ５８も備えられている。冷媒温度センサ５７及び外気温度センサ５８も、コントローラ７０へ電気的に接続されている。
【００１９】
圧縮機３４は、蒸発器３２の出口側に接続されており、蒸発器３２からの冷媒を圧縮する。蒸発器３２で気化した冷媒は、圧縮されることによって、高温高圧の状態になる。圧縮機３４の構造、方式については、特に限定されない。圧縮機３４はコントローラ７０へ電気的に接続されており、圧縮機３４の動作はコントローラ７０によって制御される。
【００２０】
凝縮器３６は、圧縮機３４の出口側に接続されている。凝縮器３６は、冷媒と水との間で熱交換を行う熱交換器である。凝縮器３６には、加熱往路２２を通じて、貯湯タンク１８の水が送られる。凝縮器３６では、圧縮機３４からの冷媒が凝縮しながら放熱し、その放熱によって貯湯タンク１８からの水が加熱される。加熱後の水は、加熱復路２０を通じて、貯湯タンク１８に戻される。それにより、貯湯タンク１８に高温の水が貯められる。
【００２１】
膨張弁３８は、凝縮器３６の出口側に接続されている。本実施例の膨張弁３８は、一例ではあるが、その開度を電気的に調整可能な電子膨張弁である。膨張弁３８はコントローラ７０へ電気的に接続されており、膨張弁３８の動作はコントローラ７０によって制御される。凝縮器３６からの冷媒は、膨張弁３８を通過することによって減圧されて、膨張する（ミスト状になる）。膨張弁３８の出口側は、蒸発器３２の入口側に接続されており、低温低圧となった（ミスト状の）冷媒が蒸発器３２に送られる。蒸発器３２では、前述のとおり、外気からの吸熱によって冷媒が気化される。以上の冷凍サイクルにより、ヒートポンプ３０は、外気の熱を利用して貯湯タンク１８内の水を加熱することができる。
【００２２】
ヒートポンプ３０では、上記した冷凍サイクルの結果、蒸発器３２に霜が付着することがある。蒸発器３２への着霜は、ヒートポンプ３０の熱効率を有意に低下させる。そのことから、本実施例のヒートポンプ３０では、除霜経路５０と除霜弁５２が付加されている。
【００２３】
除霜経路５０は、凝縮器３６の出口側を、膨張弁３８をバイパスして、蒸発器３２の入口側に接続する冷媒の経路である。除霜経路５０の上流端は、凝縮器３６と膨張弁３８を接続する冷媒経路の区間４６に接続されており、除霜経路５０の下流端は、膨張弁３８と蒸発器３２を接続する冷媒経路の区間４８に接続されている。除霜弁５２は、除霜経路５０上に設けられており、除霜経路５０を開通／閉鎖するための開閉弁である。除霜弁５２は、その開閉を電気的に制御可能な電子制御弁である。除霜弁５２は、コントローラ７０へ電気的に接続されており、除霜弁５２の動作はコントローラ７０によって制御される。
【００２４】
コントローラ７０は、圧縮機３４、ファンモータ５６、膨張弁３８、除霜弁５２、循環ポンプ６０を制御することによって、貯湯タンク１８に温水を貯めるための沸上運転や、蒸発器３２に付着した霜を除去するための除霜運転を実行する。
【００２５】
沸上運転の開始が指示されると、コントローラ７０は、図２に示す処理を実行する。
【００２６】
ステップＳ２では、コントローラ７０は、沸上運転における目標沸上温度を、給湯設定温度に第１所定温度幅ΔＴ１（例えば５℃）加算した温度に設定する。
【００２７】
ステップＳ４では、コントローラ７０は、沸上運転を開始する。具体的には、コントローラ７０は、膨張弁３８を開き、除霜弁５２を閉じた状態で、圧縮機３４、ファンモータ５６、及び、循環ポンプ６０を作動させる。これにより、圧縮機３４、凝縮器３６、膨張弁３８、蒸発器３２の順に冷媒が循環する。上記の通り、圧縮機３４から流出し、凝縮器３６に流入する冷媒は、高温高圧の気体状態である。また、循環ポンプ６０が作動することにより、貯湯タンク１８内の水が、加熱往路２２を通じて、凝縮器３６内に送られる。凝縮器３６では、圧縮機３４からの冷媒が凝縮しながら放熱し、その放熱によって貯湯タンク１８からの水が加熱される。加熱後の水は、加熱復路２０を通じて、貯湯タンク１８の上部に戻される。それにより、貯湯タンク１８に温水が貯められる。貯湯タンク１８の上部には、高温の水の層が形成され、下部には、低温の水の層が形成される。コントローラ７０は、凝縮器３６から貯湯タンク１８へ戻される水の温度が目標沸上温度となるように、圧縮機３４、膨張弁３８、ファンモータ５６、循環ポンプ６０の動作を制御する。凝縮器３６から貯湯タンク１８へ戻される水の温度は、例えば加熱復路２０に設けられた温度センサによって計測してもよいし、貯湯タンク１８に高さ方向に沿って配置された複数の温度センサのうち最上部のものによって計測してもよいし、貯湯タンク１８の頂部から垂直に挿入されている温度センサによって計測してもよい。
【００２８】
ステップＳ６では、コントローラ７０は、外気温度センサ５８から取得される外気温度が、基準外気温度（例えば３℃）を下回るか否かを判断する。外気温度が基準外気温度を下回る場合（ステップＳ６でＹＥＳの場合）、コントローラ７０は、蒸発器３２に霜が付着するおそれがあると判断し、処理はステップＳ１２へ進む。外気温度が基準外気温度以上の場合（ステップＳ６でＮＯの場合）、処理はステップＳ８へ進む。
【００２９】
ステップＳ８では、コントローラ７０は、ステップＳ４で沸上運転を開始してからの経過時間が基準時間（例えば５分）に達するまで待機する。沸上運転を開始してからの経過時間が基準時間に達すると（ステップＳ８でＹＥＳとなると）、処理はステップＳ１０へ進む。
【００３０】
ステップＳ１０では、コントローラ７０は、冷媒温度センサ５７から取得される冷媒温度が基準冷媒温度（例えば−０．５℃）を下回るか否かを判断する。冷媒温度が基準冷媒温度を下回る場合（ステップＳ１０でＹＥＳの場合）、コントローラ７０は、蒸発器３２に霜が付着するおそれがあると判断して、処理はステップＳ１２へ進む。冷媒温度が基準冷媒温度以上の場合（ステップＳ１０でＮＯの場合）、処理はステップＳ１４へ進む。
【００３１】
ステップＳ１２では、コントローラ７０は、沸上運転における目標沸上温度を、給湯設定温度に第２所定温度幅ΔＴ２（例えば１０℃）加算した温度に設定する。第２所定温度幅ΔＴ２は、第１所定温度幅ΔＴ１よりも大きな温度幅である。従って、ステップＳ１２で設定される目標沸上温度は、ステップＳ２で設定される目標沸上温度よりも高い温度である。ステップＳ１２の処理を実行するのは、ステップＳ６またはステップＳ１０で、コントローラ７０が蒸発器３２に霜が付着するおそれがあると判断した場合である。この場合、その後に蒸発器３２に霜が付着して、沸上運転を中断して除霜運転が行われると、沸上運転を再開したときに低温の水が貯湯タンク１８の上部に流入して、貯湯タンク１８の上部の水温が低下してしまうおそれがある。このため、本実施例では、コントローラ７０が蒸発器３２に霜が付着するおそれがあると判断した場合には、通常の場合に比べて、目標沸上温度を高く設定して沸上運転を行う。これによって、貯湯タンク１８の上部には通常の場合に比べてより高温の水が貯められるため、その後に沸上運転を中断して除霜運転が行われ、沸上運転を再開したときに低温の水が貯湯タンク１８の上部に流入しても、貯湯タンク１８の上部の水温を高く維持することができる。
【００３２】
ステップＳ１４では、コントローラ７０は、蒸発器３２に着霜しているか否かを判断する。蒸発器３２への着霜の有無の判断は、種々の観点から行うことができる。例えば、コントローラ７０は、冷媒温度センサ５７から取得される冷媒温度が着霜判定温度（例えば−５℃）を下回る場合に、蒸発器３２に着霜していると判断する。蒸発器３２に着霜していると判断される場合（ステップＳ１４でＹＥＳの場合）、処理はステップＳ１６へ進む。蒸発器３２に着霜していないと判断される場合（ステップＳ１４でＮＯの場合）、処理はステップＳ２２へ進む。
【００３３】
ステップＳ１６では、コントローラ７０は、沸き上げ運転を中断し、除霜運転を開始する。具体的には、コントローラ７０は、圧縮機３４を作動させた状態で、除霜弁５２を開くとともに、膨張弁３８を閉じ、ファンモータ５６及び循環ポンプ６０を停止させる。これにより、圧縮機３４、凝縮器３６、除霜経路５０、蒸発器３２の順に冷媒が循環する。除霜運転では、冷媒は膨張弁３８を経由しない。圧縮機３４から流出する高温の冷媒は、凝縮器３６及び除霜経路５０を順に経由し、蒸発器３２に流入する。これにより、蒸発器３２の温度を上昇させて、蒸発器３２に付着した霜を融解させる。除霜運転を継続することで、蒸発器３２に付着した霜が除去される。
【００３４】
ステップＳ１８では、コントローラ７０は、ステップＳ１６で除霜運転を開始してからの経過時間が所定の除霜時間（例えば１５分）に達するまで待機する。除霜運転を開始してからの経過時間が除霜時間に達すると（ステップＳ１８でＹＥＳとなると）、処理はステップＳ２０へ進む。
【００３５】
ステップＳ２０では、コントローラ７０は、除霜運転を終了するとともに、中断していた沸上運転を再開する。具体的には、コントローラ７０は、圧縮機３４を作動させた状態で、膨張弁３８を開くとともに、除霜弁５２を閉じ、ファンモータ５６及び循環ポンプ６０を作動させる。これにより、圧縮機３４、凝縮器３６、膨張弁３８、蒸発器３２の順に冷媒が再び循環し、貯湯タンク１８内に温水が貯められる。
【００３６】
ステップＳ１６およびステップＳ１８で除霜運転を行っている間は、循環ポンプ６０が停止しているため、加熱往路２２、凝縮器３６および加熱復路２０の内部には水が滞留する。この滞留している水は、除霜運転を行っている間の自然放熱により、温度が低下する。このため、ステップＳ２０で除霜運転を終了して沸上運転を再開すると、加熱往路２２、凝縮器３６および加熱復路２０の内部に滞留していた低温の水が貯湯タンク１８の上部に流れ込み、貯湯タンク１８の上部の水温が低下してしまう。しかしながら、本実施例では、ステップＳ１２において、蒸発器３２に霜が付着するおそれがあると判断される場合に、通常の場合に比べて、沸上運転の目標沸上温度を高く設定している。このため、除霜運転を行う前の沸上運転において、通常よりも高い温度の水が貯湯タンク１８の上部に貯えられている。従って、除霜運転を終了して沸上運転を再開する際に、貯湯タンク１８の上部に低温の水が流入しても、貯湯タンク１８の上部の水温を高温に維持することができる。
【００３７】
ステップＳ２２では、コントローラ７０は、沸上運転を終了するか否かを判断する。具体的には、コントローラ７０は、貯湯タンク１８に設置された複数の温度センサの検出温度に基づいて、貯湯タンク１８が所望の温度の温水で満たされる状態（いわゆる満蓄状態）となった場合に、沸上運転を終了する。沸上運転を継続する場合（ステップＳ２２でＮＯの場合）、処理はステップＳ６へ戻る。沸上運転を終了する場合（ステップＳ２２でＹＥＳの場合）、コントローラ７０は、図２の処理を終了する。
【００３８】
なお、上記の実施例では、除霜経路５０の上流端が、凝縮器３６と膨張弁３８を接続する冷媒経路の区間４６に接続されている構成について説明したが、除霜経路５０の上流端を、圧縮機３４と凝縮器３６を接続する冷媒経路の区間４４に接続する構成としてもよい。
【００３９】
上記の実施例では、除霜運転の際に、除霜弁５２を開いて膨張弁３８を閉じる構成について説明したが、除霜運転の際に、膨張弁３８を閉じることなく、除霜弁５２と膨張弁３８の両方を開く構成としてもよい。この場合、冷媒経路内のごく一部の冷媒は膨張弁３８で減圧されるが、大部分の冷媒は圧損の低い除霜経路５０を通過する。これによって、高温の冷媒を蒸発器３２に流入させ、蒸発器３２に付着した霜を融解させることができる。
【００４０】
上記の実施例では、給湯装置１０が除霜経路５０と除霜弁５２を備えており、除霜運転において除霜弁５２を開くことで蒸発器３２に高温の冷媒を流入させている。これとは異なり、給湯装置１０に、除霜経路５０と除霜弁５２の代わりに、冷媒が循環する方向を切り換える四方弁を設けて、除霜運転において冷媒を圧縮機３４、蒸発器３２、膨張弁３８、凝縮器３６の順に循環させてもよい。このような構成とした場合でも、除霜運転において、蒸発器３２に高温の冷媒を流入させることができ、蒸発器３２で冷媒から霜に放熱して、蒸発器３２に付着した霜を融解させることができる。
【００４１】
以上のように、本実施例の給湯装置１０（ヒートポンプ装置に相当する）は、冷媒を加圧する圧縮機３４と、冷媒と水（被加熱流体に相当する）の熱交換によって冷媒を凝縮させる凝縮器３６と、冷媒を減圧する膨張弁３８（減圧機構に相当する）と、冷媒と外気の熱交換によって冷媒を蒸発させる蒸発器３２と、水を貯める貯湯タンク１８（タンクに相当する）と、貯湯タンク１８と凝縮器３６の間で水を循環させる循環ポンプ６０を備えている。給湯装置１０は、貯湯タンク１８と凝縮器３６の間で水を循環させるとともに、蒸発器３２で外気から冷媒へ吸熱し、凝縮器３６で冷媒から水へ放熱して、水を目標沸上温度まで加熱する沸上運転と、蒸発器３２に霜が付着した場合に、蒸発器３２で冷媒から霜に放熱して、蒸発器３２に付着した霜を融解させる除霜運転を実行可能である。給湯装置１０では、蒸発器３２に霜が付着するおそれがある場合に、通常の場合に比べて、沸上運転における目標沸上温度を高く設定する。
【００４２】
本実施例の給湯装置１０は、外気温度を検出する外気温度センサ５８をさらに備えており、外気温度センサ５８で検出される温度に基づいて、蒸発器３２に霜が付着するおそれがあるか否かを判断する。
【００４３】
本実施例の給湯装置１０は、蒸発器３２を流れる冷媒の温度を検出する冷媒温度センサ５７をさらに備えており、冷媒温度センサ５７で検出される温度に基づいて、蒸発器３２に霜が付着するおそれがあるか否かを判断する。
【００４４】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００４５】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４６】
１０   給湯装置
１２   ガス熱源機
１４   出湯管
１６   給水管
１８   貯湯タンク
２０   加熱復路
２２   加熱往路
３０   ヒートポンプ
３２   蒸発器
３４   圧縮機
３６   凝縮器
３８   膨張弁
４２、４４、４６、４８      冷媒経路
５０   除霜経路
５２   除霜弁
５４   室外ファン
５６   ファンモータ
５７   冷媒温度センサ
５８   外気温度センサ
６０   循環ポンプ
７０   コントローラ
【図１】
2016053444.tif 000003
【図２】
2016053444.tif 000004